(57)【要約】      （修正有）【課題】従来のレースカーテンが備える鑑賞性を損なうことなく、難燃性や消臭機能等の各種の機能を有すると共に、新たな後加工を必要とせず製造工程を短縮して製造可能な機能性レースカーテンを提供する。【解決手段】難燃剤を練り込んだ異形断面のブライト糸を地糸として編織したカーテン地１に、消臭機能、防菌機能、および防汚機能などの各種光触媒機能を有する酸化物を練り込んだポリエステル加工糸からなる柄糸２を編みこんだレースカーテンＫとした。【選択図】図１
0003131946.tif 000002
【実用新案登録請求の範囲】
【請求項１】
難燃剤を練り込んだ異形断面のブライト糸を地糸として編織したカーテン地に、消臭機能、防菌機能、および防汚機能などの各種光触媒機能を有する酸化物を練り込んだポリエステル加工糸からなる柄糸を編みこんだことを特徴とする機能性レースカーテン。
【請求項２】
前記地糸が、７５デニールのポリエステル加工糸からなる異形断面のブライト糸であり、前記カーテン地が経編地であり、前記柄糸が前記ブライト糸よりも大きなデニール数の太いポリエステル加工糸であることを特徴とする請求項１に記載の機能性レースカーテン。
【請求項３】
前記柄糸が１５０〜３００デニールの糸太さであることを特徴とする請求項１または２に記載の機能性レースカーテン。
【請求項４】
前記光触媒機能を有する酸化物が酸化チタンであることを特徴とする請求項１から３のいずれかに記載の機能性レースカーテン。
【考案の詳細な説明】
【技術分野】
【０００１】  本考案は、レースカーテンに関し、特に難燃性や消臭機能を有する機能性レースカーテンに関するものである。
【背景技術】
【０００２】  従来、窓際などに用いられ、外部からの光を透過すると共にインテリア性に優れた室内装飾品として薄手のレースカーテンが知られている。また、遮光性に優れ、目隠し機能を有する高機能レースカーテンとしては、ポリエステル繊維などの合成繊維を経編機で編成したレース状の経編地などが使用されている。【０００３】  目隠し機能以外の所定の機能を発揮するカーテンを製造するには、製編織後に精練、漂白等の仕上げ工程を経て、染色、プリントを施して柄だしを行うと共に、難燃性付与処理加工や消臭機能付与処理加工などの後加工を必要としている。【０００４】さらに、一層、不燃性のものとするために、不燃性のガラス繊維糸を用いて編成した不燃性レースカーテンが提案されている（例えば、特許文献１参照）。これはガラス長繊維糸を用いて経編組織で編成したものである。【０００５】  また、インテリア性を重視したレースカーテンであっても、目隠し機能に加えて、消臭機能や防菌機能等の各種の機能が求められている。
【特許文献１】  特開平９−２８５５６号公報
【考案の開示】
【考案が解決しようとする課題】
【０００６】  カーテン地を製編織後に所定の後加工を施すことで、所定の機能を付加することは容易である。しかし、後加工によって機能を付加したカーテン地では、洗濯の度に付加した薬剤等が脱落していき、機能を発揮する寿命が短くなるという問題がある。【０００７】  本考案は、従来のレースカーテンが備える鑑賞性を損なうことなく、難燃性や消臭機能等の各種の機能を有すると共に、新たな後加工を必要とせず製造工程を短縮して製造可能な機能性レースカーテンを提供することを目的とする。
【課題を解決するための手段】
【０００８】  上記課題を解決するために、請求項１に係る考案は、難燃剤を練り込んだ異形断面のブライト糸を編織した地糸に、消臭機能、防菌機能、および防汚機能などの各種光触媒機能を有する酸化物を練り込んだポリエステル加工糸からなる柄糸を編みこんだレースカーテンとしたことを特徴とする。【０００９】  そのために、難燃性を発揮すると共に、消臭機能や防菌機能や防汚機能などの光触媒機能を発揮すると共に、処理剤を予め糸原料に練りこんでいるので、洗濯などの後処理で脱落することもなく、長期間にわたる製品寿命を発揮することができる。【００１０】  請求項２に係る考案は、前記地糸が、７５デニールのポリエステル加工糸からなる異形断面のブライト糸であり、前記カーテン地が経編地であり、前記柄糸が前記ブライト糸よりも大きなデニール数の太いポリエステル加工糸であることを特徴とする。【００１１】  そのために、遮光性に優れ目隠し機能を発揮し、光沢を有してインテリア性に優れると共に、十分な光触媒機能を発揮するレースカーテンを得ることができる。【００１２】  請求項３に係る考案は、前記柄糸が１５０〜３００デニールの糸太さであることを特徴とする。【００１３】  そのために、大量の光触媒機能を有する酸化物を太い柄糸に練りこむことができ、安定した光触媒機能を発揮可能なレースカーテンを得ることができる。さらには、寿命の長い光触媒機能を発揮することができる。【００１４】  請求項４に記載の考案においては、前記光触媒機能を有する酸化物が酸化チタンであることを特徴とする。【００１５】  そのために、ポリエステル糸を製造する化合繊製造紡糸工程で、酸化チタンの微粉末を混入して、糸内部に酸化チタンを含有した（練りこんだ）ポリエステル糸を製造することができ、後加工せずに、光触媒機能を付与することができる。
【考案の効果】
【００１６】  本考案によれば、難燃性や消臭機能や防汚機能等の各種の機能を有すると共に、新たな後加工を必要とせず製造工程を短縮して製造可能な機能性レースカーテンを得ることができる。
【考案を実施するための最良の形態】
【００１７】  以下、本考案に係る機能性レースカーテンの実施の形態について、図１に基づいて詳細に説明する。図１は本考案に係る機能性レースカーテンの構成を示す正面図である。【００１８】  図１に示すように機能性レースカーテンＫは、経編みされたカーテン地１にレース模様２が施されたレースカーテンである。【００１９】  カーテン地１を形成する地糸として本実施の形態では、７５デニールのポリエステル加工糸からなる異形断面のブライト糸を用いている。このように、７５デニールのポリエステル加工糸を用いた経編地としているので、遮光性に優れ、目隠し機能を有するレースカーテンとなる。また、異形断面のブライト糸を用いているので、光沢があり、高級感を漂わせることができる。【００２０】  さらに、ポリエステル糸を製造する化合繊製造紡糸工程で、難燃剤を混入して溶融紡糸することで、糸内部に難燃剤を含有した（練りこんだ）ポリエステル糸を製造することができる。ポリエステルあるいはポリアミドのような溶融紡糸可能な熱可塑性ポリマーに着色剤や各種の機能性付与剤を添加して化合繊糸を製造する。【００２１】  前記ポリエステル糸は添加する機能性付与剤を変更することで種々の機能を発揮する化合繊糸を得ることができる。また、機能性付与剤を練りこんで溶融紡糸した化合繊糸は、当然に機能性を付加するための後加工が不要であり、加工工程を短縮することができる。【００２２】  また、予め地糸内部に難燃剤を練りこんでいるので、洗濯等によって難燃性が悪化することもなく、長期にわたって安定した難燃性を発揮することができる。つまり、本考案に係るカーテン地１は、半永久的に安定した難燃性を発揮可能となる。【００２３】  レースカーテンでは、花模様や種々の幾何学模様を柄糸として編みこんでいる。ここでは柄糸２として、前記地糸よりも大きなデニール数の太いポリエステル加工糸を用いるようにしている。この構成であれば、太い糸を編みこんでいるので、さらに目隠し機能を発揮することができる。【００２４】  また、光触媒機能を有する酸化物を練り込んだポリエステル加工糸を用いることで、消臭機能や防菌機能や防汚機能などの光触媒機能を発揮することができる。さらには、光触媒機能を有する酸化物を予め繊維原料に練りこんでいるので、洗濯などの後処理で脱落することもなく、長期間にわたる製品寿命を発揮することができる。【００２５】  前記光触媒機能を有する酸化物としては、例えば酸化チタンが好ましい。酸化チタンは白い粉末であって、微粉末として溶融紡糸工程で糸原料に混入しやすい素材であり、光触媒酸化物として代表的な素材であるためである。【００２６】  また、前記柄糸として１５０〜３００デニールの糸太さのポリエステル加工糸を用いれば、大量の光触媒機能を有する酸化物を太い柄糸に練りこむことができ、安定した光触媒機能を発揮可能な柄糸を得ることができる。さらには、寿命の長い光触媒機能を発揮することができる。【００２７】  酸化チタンを予め繊維原料に練りこんで溶融紡糸することで、光触媒機能を発揮する化合繊糸を得ることができる。そのために、本考案に係る柄糸は、酸化チタンが有する光触媒機能を発揮する糸となる。つまり、消臭機能や防菌機能や防汚機��などの光触媒機能を発揮する柄糸となる。【００２８】  そのために、本考案に係る地糸を経編みしたカーテン地１に本考案に係る柄糸２を編みこんだ機能性レースカーテンＫは、カーテン地１が備える難燃性と、柄糸２が備える光触媒機能とを同時に発揮するレースカーテンとなる。【００２９】  上記したように、本考案に係る機能性レースカーテンによれば、糸にバルキー性を付与した加工糸を用いて経編みしているので目隠し機能を備えたレースカーテンとなる。さらには、難燃剤や光触媒機能を有する酸化物を付加しているので、難燃性や消臭機能等の各種の機能を有するレースカーテンを得ることができる。また予め難燃剤や光触媒酸化物を練りこんだ繊維から地糸と柄糸を製造しているので、各種機能の長寿命化が可能であると共に、各種の機能を付加するための後加工が不要となり、製造工程を短縮して製造可能な機能性レースカーテンを得ることができる。
【図面の簡単な説明】
【００３０】
【図１】  本考案に係る機能性レースカーテンの概略全体図を示している。
【符号の説明】
【００３１】      １      カーテン地（地糸からなる）
２      柄糸
Ｋ      機能性レースカーテン
【図１】
0003131946.tif 000003